(57)【要約】  Ｗｉ−Ｆｉシグナリングネットワークインサイト配信のためのシステム、方法、装置及びコンピュータプログラム製品を提供する。１つの方法は、例えば無線装置上で実行中のアプリケーションによって、少なくとも１つのＷｉ−Ｆｉ広告値を検出するステップを含む。次に、方法は、少なくとも１つのＷｉ−Ｆｉ広告値から、セルラーネットのための少なくとも１つのセルラーネットワークインサイトを抽出するステップを含むことができる。【選択図】図４
2017532924.tif 000002
【特許請求の範囲】
【請求項１】
無線装置上で実行中のアプリケーションによって少なくとも１つのＷｉ−Ｆｉ広告値を検出するステップと、
前記少なくとも１つのＷｉ−Ｆｉ広告値から、セルラーネットワーク状態のための少なくとも１つのセルラーネットワークインサイトを抽出するステップと、
を含むことを特徴とする方法。
【請求項２】
前記少なくとも１つのＷｉ−Ｆｉ広告値は、ｈｏｔ  ｓｐｏｔ２．０プレアソシエーション広告メッセージ内で前記無線装置によって受け取られる、
請求項１に記載の方法。
【請求項３】
前記少なくとも１つのＷｉ−Ｆｉ広告値は、Ｗｉ−Ｆｉサービスセット識別子（ＳＳＩＤ）名を含む、
請求項１又は２に記載の方法。
【請求項４】
前記少なくとも１つのＷｉ−Ｆｉ広告値から前記セルラーネットワークインサイトを抽出するためのルールが、前記無線装置上に予め提供され、或いはインターネットサーバ、アクセスネットワーク発見及び選択機能（ＡＮＤＳＦ）サーバ、Ｈｏｔｓｐｏｔ２．０シグナリング、又は第３世代パートナーシッププロジェクト（３ＧＰＰ）シグナリングのうちの少なくとも１つからダウンロードされる、
請求項１から３のいずれか１項に記載の方法。
【請求項５】
前記少なくとも１つのＷｉ−Ｆｉ広告値から前記セルラーネットワークインサイトを抽出するためのルールは、現在のセルＩＤ番号、時刻、場所、暗号化キー又はシードのうちの少なくとも１つを含む他のパラメータの機能である、
請求項１から３のいずれか１項に記載の方法。
【請求項６】
前記ＳＳＩＤ値は、前記無線装置上で実行中の前記アプリケーションが前記ＳＳＩＤ値に署名して検証するように冗長性を含む、
請求項３に記載の方法。
【請求項７】
前記抽出された少なくとも１つのセルラーネットワークインサイトを用いて少なくとも１つのアプリケーションの適合を引き起こし、或いは前記無線装置上で実行中の、又は該無線装置に接続された少なくとも１つの他のアプリケーションに前記少なくとも１つのセルラーネットワークインサイトを提供するステップをさらに含む、
請求項１から６のいずれか１項に記載の方法。
【請求項８】
前記少なくとも１つのセルラーネットワークインサイト内に符号化された前記セルラーネットワーク状態は、複数のセルラー通信リンクを含む、
請求項１から７のいずれか１項に記載の方法。
【請求項９】
前記少なくとも１つのセルラーネットワークインサイト内に符号化された前記セルラーネットワーク状態は、該状態が特定のセルラーネットワークアクセスポイントに対応するものであり、前記状態がセルラーアクセスポイントの輻輳状態、又は予想されるセルラーネットワークスループット状態の少なくとも一方を伝えるものであることを伝える、
請求項１から８のいずれか１項に記載の方法。
【請求項１０】
前記少なくとも１つのセルラーネットワークインサイト内に符号化された前記セルラーネットワーク状態は、特定のセルラーネットワークアクセスポイントを管理するための認証チャレンジ値を伝える、
請求項１から９のいずれか１項に記載の方法。
【請求項１１】
少なくとも１つのプロセッサと、
コンピュータプログラムコードを含む少なくとも１つのメモリと、
を備えた装置であって、前記少なくとも１つのメモリ及びコンピュータプログラムコードは、前記少なくとも１つのプロセッサと協働して、前記装置に少なくとも、
少なくとも１つのＷｉ−Ｆｉ広告値を検出させ、
前記少なくとも１つのＷｉ−Ｆｉ広告値から、セルラーネットワーク状態のための少なくとも１つのセルラーネットワークインサイトを抽出させる、
ように構成される、
ことを特徴とする装置。
【請求項１２】
前記少なくとも１つのＷｉ−Ｆｉ広告値は、ｈｏｔ  ｓｐｏｔ２．０プレアソシエーション広告メッセージ内で前記装置によって受け取られる、
請求項１１に記載の装置。
【請求項１３】
前記少なくとも１つのＷｉ−Ｆｉ広告値は、Ｗｉ−Ｆｉサービスセット識別子（ＳＳＩＤ）値を含む、
請求項１１又は１２に記載の装置。
【請求項１４】
前記少なくとも１つのＷｉ−Ｆｉ広告値から前記セルラーネットワークインサイトを抽出するためのルールが、前記装置上に予め提供され、或いはインターネットサーバ、アクセスネットワーク発見及び選択機能（ＡＮＤＳＦ）サーバ、Ｈｏｔｓｐｏｔ２．０シグナリング、又は第３世代パートナーシッププロジェクト（３ＧＰＰ）シグナリングのうちの少なくとも１つからダウンロードされる、
請求項１１から１３のいずれか１項に記載の装置。
【請求項１５】
前記少なくとも１つのＷｉ−Ｆｉ広告値から前記セルラーネットワークインサイトを抽出するためのルールは、現在のセルＩＤ番号、時刻、場所、暗号化キー又はシードのうちの少なくとも１つを含む他のパラメータの機能である、
請求項１１から１４のいずれか１項に記載の装置。
【請求項１６】
前記ＳＳＩＤ値は、前記装置上で実行中のアプリケーションが前記ＳＳＩＤ値に署名して検証するように冗長性を含む、
請求項１３に記載の装置。
【請求項１７】
前記少なくとも１つのメモリ及びコンピュータプログラムコードは、前記少なくとも１つのプロセッサと協働して、前記装置に少なくとも、前記抽出された少なくとも１つのセルラーネットワークインサイトを用いて少なくとも１つのアプリケーションの適合を引き起こし、或いは前記装置上で実行中の、又は該装置に接続された少なくとも１つの他のアプリケーションに前記少なくとも１つのセルラーネットワークインサイトを提供させるようにさらに構成される、
請求項１１から１６のいずれか１項に記載の装置。
【請求項１８】
前記少なくとも１つのセルラーネットワークインサイト内に符号化された前記セルラーネットワーク状態は、ネットワーク状態又は複数のセルラー通信リンクのうちの少なくとも一方を含む、
請求項１１から１７のいずれか１項に記載の装置。
【請求項１９】
前記少なくとも１つのセルラーネットワークインサイト内に符号化された前記セルラーネットワーク状態は、該状態が特定のセルラーネットワークアクセスポイントに対応するものであり、前記状態がセルラーアクセスポイントの輻輳状態、又は予想されるセルラーネットワークスループット状態の少なくとも一方を伝えるものであることを伝える、
請求項１１から１８のいずれか１項に記載の装置。
【請求項２０】
前記少なくとも１つのセルラーネットワークインサイト内に符号化された前記セルラーネットワーク状態は、特定のセルラーネットワークアクセスポイントを管理するための認証チャレンジ値を伝える、
請求項１１から１９のいずれか１項に記載の装置。
【請求項２１】
少なくとも１つのＷｉ−Ｆｉ広告値を検出する手段と、
前記少なくとも１つのＷｉ−Ｆｉ広告値から、セルラーネットワーク状態のための少なくとも１つのセルラーネットワークインサイトを抽出するための手段と、
を備えることを特徴とする装置。
【請求項２２】
コンピュータ可読媒体上に具体化されたコンピュータプログラムであって、プロセッサ上で実行された時に、請求項１から１０のいずれか１項に記載の方法を実行する、
ことを特徴とするコンピュータプログラム。
【請求項２３】
第１の無線ネットワーク上の第１のレベルのネットワーク輻輳を検出するステップと、
前記第１のレベルのネットワーク輻輳の前記検出に応答して、第２の無線ネットワークを介して、前記第１のレベルのネットワーク輻輳を符号化したサービスセット識別子（ＳＳＩＤ）値を送信するステップと、
前記第１の無線ネットワーク上の第２のレベルのネットワーク輻輳を検出するステップと、
前記第２のレベルのネットワーク輻輳の前記検出に応答して、前記第２の無線ネットワークを介して、前記第２のレベルのネットワーク輻輳を符号化した第２のＳＳＩＤ値を送信するステップと、
を含むことを特徴とする方法。
【請求項２４】
前記第１の無線ネットワークは、セルラー無線ネットワークを含み、前記第２の無線ネットワークは、Ｗｉ−Ｆｉネットワークを含む、
請求項２３に記載の方法。
【請求項２５】
少なくとも１つのプロセッサと、
コンピュータプログラムコードを含む少なくとも１つのメモリと、
を備えた装置であって、前記少なくとも１つのメモリ及びコンピュータプログラムコードは、前記少なくとも１つのプロセッサと協働して、前記装置に少なくとも、
第１の無線ネットワーク上の第１のレベルのネットワーク輻輳を検出させ、
前記第１のレベルのネットワーク輻輳の前記検出に応答して、第２の無線ネットワークを介して、前記第１のレベルのネットワーク輻輳を符号化したサービスセット識別子（ＳＳＩＤ）値を送信させ、
前記第１の無線ネットワーク上の第２のレベルのネットワーク輻輳を検出させ、
前記第２のレベルのネットワーク輻輳の前記検出に応答して、前記第２の無線ネットワークを介して、前記第２のレベルのネットワーク輻輳を符号化した第２のＳＳＩＤ値を送信させる、
ように構成される、
ことを特徴とする装置。
【請求項２６】
前記第１の無線ネットワークは、セルラー無線ネットワークを含み、前記第２の無線ネットワークは、Ｗｉ−Ｆｉネットワークを含む、
請求項２５に記載の装置。
【請求項２７】
第１の無線ネットワーク上の第１のレベルのネットワーク輻輳を検出する手段と、
前記第１のレベルのネットワーク輻輳の前記検出に応答して、第２の無線ネットワークを介して、前記第１のレベルのネットワーク輻輳を符号化したサービスセット識別子（ＳＳＩＤ）値を送信する手段と、
前記第１の無線ネットワーク上の第２のレベルのネットワーク輻輳を検出する手段と、
前記第２のレベルのネットワーク輻輳の前記検出に応答して、前記第２の無線ネットワークを介して、前記第２のレベルのネットワーク輻輳を符号化した第２のＳＳＩＤ値を送信する手段と、
を備えることを特徴とする装置。
【請求項２８】
コンピュータ可読媒体上に具体化されたコンピュータプログラムであって、プロセッサ上で実行された時に、請求項２３又は２４に記載の方法を実行する、
ことを特徴とするコンピュータプログラム。
【発明の詳細な説明】
【技術分野】
【０００１】
実施形態は、一般に無線通信ネットワークなどの通信システムに関することができ、具体的には、モバイル装置又は無線装置などの装置にネットワークインサイトを配信する機構に関することができる。
【背景技術】
【０００２】
データ解析インサイトは、これらのインサイトを意思決定に結び付けることによって様々な業界の形を変えつつある。ネットワークインフラストラクチャは、例えば、進化型ノードＢ（ｅＮＢ）、Ｒａｄｉｏ  Ａｐｐｌｉｃａｔｉｏｎｓ  Ｃｌｏｕｄ  Ｓｅｒｖｅｒ（ＲＡＣＳ）、及びＳＡＩ／顧客体験マネージャ（ＣＥＭ）からネットワークインサイトを生成する。この種のインサイトは、多くの装置又はネットワーク要素にとって有用となり得る。例えば、この種の情報は、モバイルアプリケーション、すなわちアプリにとって有用となり得る。周知のように、アプリは、特にユーザがモバイル装置にダウンロードした時に特定の目的を達成するように設計された自己完結的プログラム又は１つのソフトウェアと見なすことができる。モバイル装置（例えば、スマートフォン、タブレットなど）上のアプリは、微妙に異なって急速に変化するアプリ知識を用いて多くの決定を行う。しかしながら、アプリがその内部決定において使用できるインサイトへのアクセスを容易にする解決策が必要とされている。
【発明の概要】
【発明が解決しようとする課題】
【０００３】
しかしながら、アプリがその内部決定において使用できるインサイトへのアクセスを容易にする解決策が必要とされている。
【課題を解決するための手段】
【０００４】
１つの実施形態は、無線装置上で実行中のアプリケーションによって少なくとも１つのＷｉ−Ｆｉ広告値を検出するステップを含む方法に関する。この方法は、少なくとも１つのＷｉ−Ｆｉ広告値から、セルラーネットワーク状態のための少なくとも１つのセルラーネットワークインサイトを抽出するステップを含むこともできる。
【０００５】
別の実施形態は、少なくとも１つのプロセッサと、コンピュータプログラムコードを含む少なくとも１つのメモリとを含む装置に関する。少なくとも１つのメモリ及びコンピュータプログラムコードは、少なくとも１つのプロセッサと協働して、装置に少なくとも、少なくとも１つのＷｉ−Ｆｉ広告値を検出させ、少なくとも１つのＷｉ−Ｆｉ広告値から、セルラーネットワーク状態のための少なくとも１つのセルラーネットワークインサイトを抽出させるように構成される。
【０００６】
別の実施形態は、コンピュータ可読媒体上に具体化されたコンピュータプログラムに関する。このコンピュータプログラムは、プロセッサ上で実行された時に、無線装置上で実行中のアプリケーションによって少なくとも１つのＷｉ−Ｆｉ広告値を検出するステップを含む方法を実行する。この方法は、少なくとも１つのＷｉ−Ｆｉ広告値から、セルラーネットワーク状態のための少なくとも１つのセルラーネットワークインサイトを抽出するステップを含むこともできる。
【０００７】
別の実施形態は、少なくとも１つのＷｉ−Ｆｉ広告値を検出する手段を含む装置に関する。この装置は、少なくとも１つのＷｉ−Ｆｉ広告値から、セルラーネットワーク状態のための少なくとも１つのセルラーネットワークインサイトを抽出する手段を含むこともできる。
【０００８】
別の実施形態は、第１の無線ネットワーク上の第１のレベルのネットワーク輻輳を検出するステップを含む方法に関する。この方法は、第１のレベルのネットワーク輻輳の検出に応答して、第２の無線ネットワークを介して、第１のレベルのネットワーク輻輳を符号化したサービスセット識別子（ＳＳＩＤ）値を送信するステップも含む。次に、この方法は、第１の無線ネットワーク上の第２のレベルのネットワーク輻輳を検出するステップと、第２のレベルのネットワーク輻輳の検出に応答して、第２の無線ネットワークを介して、第２のレベルのネットワーク輻輳を符号化した第２のＳＳＩＤ値を送信するステップとを含むことができる。
【０００９】
別の実施形態は、少なくとも１つのプロセッサと、コンピュータプログラムコードを含む少なくとも１つのメモリとを含む装置に関する。少なくとも１つのメモリ及びコンピュータプログラムコードは、少なくとも１つのプロセッサと協働して、装置に少なくとも、第１の無線ネットワーク上の第１のレベルのネットワーク輻輳を検出させ、第１のレベルのネットワーク輻輳の検出に応答して、第２の無線ネットワークを介して、第１のレベルのネットワーク輻輳を符号化したサービスセット識別子（ＳＳＩＤ）値を送信させるように構成される。次に、この装置は、第１の無線ネットワーク上の第２のレベルのネットワーク輻輳を検出し、第２のレベルのネットワーク輻輳の検出に応答して、第２の無線ネットワークを介して、第２のレベルのネットワーク輻輳を符号化した第２のＳＳＩＤ値を送信するように制御することができる。
【００１０】
別の実施形態は、コンピュータ可読媒体上に具体化されたコンピュータプログラムに関する。このコンピュータプログラムは、プロセッサ上で実行された時に、第１の無線ネットワーク上の第１のレベルのネットワーク輻輳を検出するステップを含む方法を実行する。この方法は、第１のレベルのネットワーク輻輳の検出に応答して、第２の無線ネットワークを介して、第１のレベルのネットワーク輻輳を符号化したサービスセット識別子（ＳＳＩＤ）値を送信するステップも含む。次に、この方法は、第１の無線ネットワーク上の第２のレベルのネットワーク輻輳を検出するステップと、第２のレベルのネットワーク輻輳の検出に応答して、第２の無線ネットワークを介して、第２のレベルのネットワーク輻輳を符号化した第２のＳＳＩＤ値を送信するステップとを含むことができる。
【００１１】
別の実施形態は、第１の無線ネットワーク上の第１のレベルのネットワーク輻輳を検出する手段を含む装置に関する。この装置は、第１のレベルのネットワーク輻輳の検出に応答して、第２の無線ネットワークを介して、第１のレベルのネットワーク輻輳を符号化したサービスセット識別子（ＳＳＩＤ）値を送信する手段も含む。次に、この装置は、第１の無線ネットワーク上の第２のレベルのネットワーク輻輳を検出する手段と、第２のレベルのネットワーク輻輳の検出に応答して、第２の無線ネットワークを介して、第２のレベルのネットワーク輻輳を符号化した第２のＳＳＩＤ値を送信する手段とを含むことができる。
【００１２】
別の実施形態は、第１の無線ネットワークの構成又は管理のための認証チャレンジ値を検出する手段を含む装置に関する。この装置は、認証チャレンジ値に応答して、第２の無線ネットワークを介して、第１の無線ネットワーク上の管理のための認証チャレンジ値を符号化したサービスセット識別子（ＳＳＩＤ）値を送信する手段も含む。次に、この装置は、第１の無線ネットワーク上の第２のレベルの認証チャレンジ値を検出する手段と、第２の認証チャレンジ値の検出に応答して、第２の無線ネットワークを介して、認証チャレンジ値を符号化した第２のＳＳＩＤ値を送信する手段とを含むことができる。
【００１３】
本発明を正しく理解できるように、以下の添付図面を参照されたい。
【図面の簡単な説明】
【００１４】
【図１】インサイト使用例のブロック図である。
【図２】ベアラパスを介したアプリへのインサイト配信例のブロック図である。
【図３】汎用広告サービス（ＧＡＳ）メッセージング図の例を示す図である。
【図４】本発明の例示的な実施形態によるシステムのブロック図である。
【図５】１つの実施形態による方法例を示すシグナリング図である。
【図６ａ】１つの実施形態による装置のブロック図である。
【図６ｂ】別の実施形態による装置のブロック図である。
【図７ａ】１つの実施形態による方法のフロー図である。
【図７ｂ】別の実施形態による方法のフロー図である。
【発明を実施するための形態】
【００１５】
本明細書の図に大まかに図示し説明する本発明の構成要素は、様々な異なる構成で配置し、設計できることが容易に理解されるであろう。従って、添付図に示すＷｉ−Ｆｉシグナリングネットワークインサイト配信のためのシステム、方法、装置及びコンピュータプログラム製品の実施形態についての以下の詳細な説明は、本発明の範囲を限定するものではなく、本発明の選択的な実施形態の表現にすぎない。
【００１６】
本明細書全体を通じて説明する本発明の特徴、構造又は特性は、１又は２以上の実施形態においていずれかの好適な形で組み合わせることができる。例えば、本明細書全体を通じて使用する「いくつかの実施形態（ｃｅｒｔａｉｎ  ｅｍｂｏｄｉｍｅｎｔｓ、ｓｏｍｅ  ｅｍｂｏｄｉｍｅｎｔｓ）」という表現又は他の同様の文体は、その実施形態に関連して説明する特定の特徴、構造又は特性が本発明の少なくとも１つの実施形態に含まれ得ることを示す。従って、本明細書全体を通じて出現する「いくつかの実施形態において（ｉｎ  ｃｅｒｔａｉｎ  ｅｍｂｏｄｉｍｅｎｔｓ、ｉｎ  ｓｏｍｅ  ｅｍｂｏｄｉｍｅｎｔｓ）」、「他の実施形態において（ｉｎ  ｏｔｈｅｒ  ｅｍｂｏｄｉｍｅｎｔｓ）」という表現又は他の同様の文体は、必ずしも全てが同じ一群の実施形態を示すわけではなく、説明する特徴、構造又は特性を１又は２以上の実施形態においていずれかの好適な形で組み合わせることができる。
【００１７】
また、後述する異なる機能は、必要に応じて異なる順序で、及び／又は互いに同時に実行することもできる。さらに、説明する機能のうちの１つ又は２つ以上は、必要に応じて任意とすることも、又は組み合わせることもできる。従って、以下の説明は、本発明の原理、教示及び実施形態を限定するものではなく、これらの説明例にすぎないと見なすべきである。
【００１８】
アプリ及びネットワーク通信事業者の両方に効率と収益をもたらすためにアプリがインサイトを使用する使用事例は数多く存在する。一例として、インターネットからいくつかのビデオをダウンロードすることを決定したもののタイミングについては柔軟なアイドル状態のアプリについて検討する。現在のところ、このアプリは、（アイドル状態であるため）ローカルセルリンクの速度も、他のセル内のリンク速度も分からない。従って、このアプリは、最も速いダウンロードの機会を発見できずに最適でない機会にダウンロードを行い、例えば０．６Ｍｂｐｓを発見し、チャネル上で費やす時間が長くなってバッテリー寿命を消耗させる可能性がある。しかしながら、ネットワークナレッジがあれば、アプリは、ネットワークナレッジが提供する最速セルＩＤ又は最速ダウンロード時間のためのプッシュ通知を用いて、最も輻輳の少ない機会がいつどこに存在するかが分かる。このようにすれば、アプリが使用するバッテリー寿命が大幅に減少する（例えば６Ｍｂｐｓでは、チャネル上で費やす時間が短くなるので１００％ではない）。ネットワーク通信事業者には、このようなダウンロードによってトラフィックが輻輳から抜け出すので利点がある。例えば、ストリーミング、ビデオ電話、ゲーム、ユーザアラート、ホームスクリーン、Ｗｉ−Ｆｉ又はナビゲーションに関するさらに多くの例が存在する。ネットワークナレッジは、基本的に全てのインサイト使用事例を非常に簡単にサポートする。
【００１９】
上述したように、アプリが特定の動作をいつどのように行うかをより良好に決定できるように、これらのアプリがネットワークインサイトに容易にアクセスできるようにする必要がある。図１に、インサイトの使用例を示す。この例では、ソーシャルネットワークアプリなどのアプリが、ビデオ又はその他の情報をダウンロードしたいと望むことができる。このアプリは、ネットワークインサイトにアクセスしなければ、高輻輳期間中に情報をダウンロードしようと試み、結果的にダウンロード時間が長くなってバッテリー寿命を消耗してしまう恐れがある。一方で、アプリは、セルラー又はネットワークインサイトにアクセスすれば、低輻輳期間がいつ存在するかを判断して、これらの低輻輳期間中に所望の動作を実行することができ、これによってダウンロード時間が高速になり、バッテリー寿命を節約することができる。なお、図１には、アプリがセルラー輻輳インサイトを利用することによって創出できる多くの機会のうちの１つしか示していない。他の多くの例及び使用が可能である。
【００２０】
別の例では、アプリケーションが、セルラーアクセスポイントのローカルな管理及び構成にアクセスするために認証チャレンジ値へのアクセスを必要とすることができる。この認証チャレンジ値は、このアプリがこの動作をどのように実行すべきかに関して良好な決定を行うのに役立つことができるネットワークインサイトの例である。
【００２１】
アプリケーションがネットワークインサイトをアプリ／アプリケーションサービスプロバイダに関連付けるためにセルラーモデムを作動させて無線リンクを介して何らかの情報を送受信する場合には、セルラー輻輳インサイトを配信することができる。図２に、ベアラパスを介してアプリにインサイトを配信する例を示す。
【００２２】
ＩＥＥＥ  ８０２．１１では、無線装置にＷｉ−Ｆｉネットワークを認証するように促すことなく無線装置に追加情報要素を配信する方法が２つ存在する。情報要素は、主にサービスセット識別子（ＳＳＩＤ）と、ＨＳ２．０対応Ｗｉ−Ｆｉアクセスの場合にはホモジニアスＳＳＩＤ（ＨＳＳＩＤ）と、このようなアクセスポイントに一意の識別子を提供するベーシックＳＳＩＤ（ＢＳＳＩＤ）とによって構成される、定期的に送信されるブロードキャストであるビーコンに含まれる情報要素によって提供するか、或いは認証前の無線装置によるクエリに対する応答としてさらに包括的な情報を提供することができる、ＩＥＥＥ８０２．１１ｕによって導入されるアクセスネットワーククエリプロトコル（ＡＮＱＰ）を実行する汎用広告サービスによって提供することができる。
【００２３】
ビーコンは、最も堅牢な変調及びコーディングを用いて頻繁にブロードキャストする必要があるので、利用可能なスペクトルの大部分を無駄にしないように、追加情報のために利用可能なビーコン内の空間は大きく制限される。
【００２４】
ＩＥＥＥ  ８０２．１１ｕは、包括的情報をビーコンでブロードキャストする制約を克服するために、プレアソシエーションフェーズで実行される特別なプロトコルを提供し、これを用いてアクセスネットワークから包括的情報を積極的にクエリすることができる。現在のところ、このようなサービスは、Ｗｉ−Ｆｉアクセスポイントに関する追加情報に制限されており、様々なサービス発見プロトコルのために最近確立されたプロジェクトであるＩＥＥＥ  ８０２．１１ａｑによって拡張することができる。図３に、汎用広告サービス（ＧＡＳ）メッセージング図の例を示す。
【００２５】
本発明の実施形態では、例えばＷｉ−Ｆｉ又はＨｏｔ  Ｓｐｏｔ２．０プレアソシエーション広告メッセージのＳＳＩＤフィールド内にＷｉ−Ｆｉ広告テキスト値を用いて、スマートフォン、タブレット、或いはその他のモバイル装置又は無線装置上で実行中のアプリにセルラーアクセス固有のネットワークインサイトを伝えることができる。本発明の実施形態は、３ＧＰＰ  ＡＮＤＳＦプロトコルなどのサービス発見プロトコルに従ってセルラーアクセス固有のネットワークインサイトを配信するために、上述したＧＡＳ／ＡＮＱＰプロトコルをどのように展開するかに関する追加情報も提供する。
【００２６】
従って、１つの実施形態は、既存のＷｉ−Ｆｉメッセージを利用してセルラーアクセス固有のネットワークインサイトをブロードキャストし、セルラーモデムを作動させることなくセルラーアクセス固有のネットワークインサイトを通知し、追加のＷｉ−Ｆｉ／セルラーリソースを消費することなくセルラーアクセス固有のネットワークインサイトをアプリケーションサービスプロバイダに関連付けるように構成される。
【００２７】
図４に、本発明の例示的な実施形態によるシステムを示す。図４に示すように、システムは、１又は２以上の（セルラー）基地局１０７及び／又は１又は２以上のＷｉ−Ｆｉアクセスポイント（ＡＰ）１０５と通信する、又はこれらによるサービスを受ける１又は２以上のモバイル装置１００を含むことができる。基地局１０７及び／又はＷｉ−Ｆｉアクセスポイント（ＡＰ）１０５は、パケットデータネットワークゲートウェイ（ＰＤＮ  ＧＷ）１１５を含むコアネットワークと通信又は接続することができ、ＰＤＮ  ＧＷ１１５は、例えばインターネット又は広域ネットワーク（ＷＡＮ）にさらに接続することができる。
【００２８】
ある実施形態では、図４に示すように、基地局１０７及び／又はＷｉ−Ｆｉアクセスポイント（ＡＰ）１０５が、パフォーマンス情報マネージャ（ＰＩＭ）又はネットワークモニタ１１３と通信又は接続することができる。また、Ｗｉ−Ｆｉアクセスポイントは、セルラーアクセスポイントと文字通りに統合して、このネットワークモニタリング通信の実施形態をさらに可能にすることができる。同様に、ＰＤＮ  ＧＷ１１５も、パフォーマンス情報マネージャ１１３と通信又は接続することができる。いくつかの実施形態では、パフォーマンス情報マネージャ１１３が、Ｗｉ−Ｆｉアクセスポイント（ＡＰ）１０５を制御するＷｉ−Ｆｉ  ＡＰコントローラ１１０にさらに接続することができる。任意に、ＰＤＮ  ＧＷ１１５も、インサイトコンフィギュレーションサーバ１２０と通信又は接続することができ、インサイトコンフィギュレーションサーバ１２０も、Ｗｉ−Ｆｉ  ＡＰコントローラ１１０と接続又は通信することができる。
【００２９】
図５に、１又は２以上のアプリケーションを実行する装置（例えば、無線装置）に特定のセルラーネットワークインサイトを伝えるためにＷｉ−Ｆｉシステムを調整する方法例を表すシグナリング図を示す。この方法は、ステップ２００において、セルラーネットワーク（例えば、ｅＮＢ／ＲＡＮ、パフォーマンス管理システム／ＰＩＭ）が、Ｗｉ−Ｆｉネットワーク又はＷｉ−Ｆｉベースのセルラーインサイトコンフィギュレーションサーバにセルラーネットワーク輻輳インサイトを提供するステップを含むことができる。次に、方法は、ステップ２０２において、Ｗｉ−Ｆｉ広告値の更新を提供するステップを含むことができる。
【００３０】
方法は、ステップ２０４において、装置（又は装置上で実行中のアプリケーション）が少なくとも１つのＷｉ−Ｆｉ広告値を検出するステップを含むこともできる。方法は、ステップ２０５において、少なくとも１つのＷｉ−Ｆｉ広告値から、ネットワーク状態のための少なくとも１つのネットワークインサイトを抽出するステップを含むこともできる。
【００３１】
ある実施形態では、少なくとも１つのＷｉ−Ｆｉ広告値が、Ｈｏｔ  Ｓｐｏｔ２．０プレアソシエーション広告メッセージで無線装置に配信される。いくつかの実施形態によれば、少なくとも１つのＷｉ−Ｆｉ広告値が、Ｗｉ−Ｆｉ  ＳＳＩＤ（例えば、ＨＥ  ＳＳＩＤ、ＨＥ  ＳＳＩＤ）名を含む。
【００３２】
いくつかの実施形態では、ステップ２０７において交換される、受け取ったＷｉ−Ｆｉ広告値からネットワークインサイトを符号化／復号／抽出するためのルール又はマッピングを無線装置上に予め提供しておくことができ、或いは所与のインターネットサーバ、例えばネットワークナレッジサーバ、ＡＮＤＳＦサーバ、Ｈｏｔｓｐｏｔ２．０シグナリング、又は３ＧＰＰシグナリングのうちの少なくとも１つからダウンロードすることができる。
【００３３】
他の実施形態では、受け取ったＷｉ−Ｆｉ広告値からネットワークインサイトを符号化／復号／抽出するためのルール又はマッピングが、例えば、現在のセルＩＤ番号、時刻、場所、暗号化キー及びシードのうちの少なくとも１つを含む他のパラメータの機能を含むことができる。ある実施形態例によれば、例えば一般的なマクロＬＴＥセルＩＤ番号及び／又は別個の暗号化キーを用いて、実際のインサイト自体をハッシュ化又は暗号化することができる。これにより、インサイトへのアクセスに対して支払いを行っていないアプリがインサイトを抽出できるようになるのを防ぐことができる。例えば、インサイトへのアクセス又はフルアクセスに対して支払いを行っていないアプリは暗号化キーを有しておらず、従ってＳＳＩＤが不明瞭になる。
【００３４】
別の実施形態によれば、受け取ったＷｉ−Ｆｉ広告値からネットワークインサイトを符号化／復号／抽出するためのルール又はマッピングを、ＳＳＩＤ値を検出して復号するアプリがＳＳＩＤ値に署名して検証できるようにＳＳＩＤ値が冗長性を含むようなものとすることができる。このことは、ＳＳＩＤの最後に前方誤り訂正機構又は長いＣＲＣ様フィールドを使用して、分析されるＳＳＩＤがネットワークインサイトを実際に伝えている実際に有効なＳＳＩＤであることをアプリが検証できるようにすることに類似することができる。
【００３５】
別の実施形態によれば、アプリが、Ｗｉ−Ｆｉ  Ｈｏｔｓｐｏｔ  ２．０プレアソシエーションプロセスを利用して、受け取ったＳＳＩＤセルラー状態インサイトを抽出する上で信用できるものであり復号できることを検証することができる。
【００３６】
再び図５を参照すると、ある実施形態では、ステップ２１０において、無線装置（又は無線装置上で実行中のアプリケーション）が、抽出されたネットワークインサイトの値を用いて、少なくとも１つのアプリケーションの適合を引き起こし、及び／又は無線装置上で実行中の又は無線装置に接続された少なくとも１つの他のアプリケーションにインサイトを提供することができる。ある実施形態では、ＳＳＩＤ又はプレアソシエーションシグナリング内で符号化されたネットワーク状態が、ネットワーク状態、１又は複数のセルラー通信リンクのうちの少なくとも１つを含むことができる。
【００３７】
ある実施形態によれば、Ｗｉ−Ｆｉベースのセルラーインサイトコンフィギュレーションサーバなどのネットワークノードを、第１のセルラー無線ネットワーク上の第１のレベルのネットワーク輻輳を検出するステップを含む方法を実行するように構成することができる。この検出に応答して、ネットワークノードは、第２の無線ネットワーク（例えば、Ｗｉ−Ｆｉネットワーク）を介してＳＳＩＤテキスト値を伝えることができる。このＳＳＩＤテキスト値は、検出された第１のレベルの無線ネットワーク輻輳を符号化したものとすることができる。また、ネットワークノードは、第１の無線ネットワーク上の第２のレベルのネットワーク輻輳をさらに検出することができる。この検出に応答して、ネットワークノードは、第２の無線ネットワークを介して第２のＳＳＩＤテキスト値を伝えることができる。この第２のＳＳＩＤテキスト値は、第２のレベルの無線ネットワーク輻輳を符号化したものとすることができる。
【００３８】
図６ａに、ある実施形態による装置１０の例を示す。ある実施形態では、装置１０を、１又は２以上の通信ネットワーク内の、又は１又は２以上の通信ネットワークに関連する、或いは（単複の）通信ネットワークによるサービスを受けるノード又は要素とすることができる。例えば、１つの実施形態では、装置１０を、携帯電話機、スマートフォン、タブレット、ラップトップ、又は無線通信が可能なその他の装置などの、モバイル装置、無線装置又はユーザ装置（ＵＥ）とすることができる。なお、当業者であれば、装置１０は、図６ａに示していない構成要素又は特徴を含むこともできると理解するであろう。
【００３９】
図６ａに示すように、装置１０は、情報を処理して命令又は動作を実行するプロセッサ２２を含む。プロセッサ２２は、あらゆるタイプの汎用プロセッサ又は特殊用途プロセッサとすることができる。図６ａには１つのプロセッサ２２を示しているが、他の実施形態によれば複数のプロセッサを利用することもできる。実際に、プロセッサ２２は、一例として、汎用コンピュータ、特殊用途コンピュータ、マイクロプロセッサ、デジタルシグナルプロセッサ（ＤＳＰ）、フィールドプログラマブルゲートアレイ（ＦＰＧＡ）、特定用途向け集積回路（ＡＳＩＣ）、及びマルチコアプロセッサアーキテクチャに基づくプロセッサのうちの１つ又は２つ以上を含むことができる。
【００４０】
装置１０は、情報及びプロセッサ２２が実行できる命令を記憶する、プロセッサ２２に結合できる（内部又は外部）メモリ１４をさらに含み、又はこのようなメモリ１４に結合することができる。メモリ１４は、１又は２以上のメモリとすることができ、ローカルアプリケーション環境に適したあらゆるタイプとすることができ、半導体ベースのメモリデバイス、磁気メモリデバイス及びシステム、光メモリデバイス及びシステム、固定メモリ及び取り外し可能メモリなどのいずれかの好適な揮発性又は不揮発性データストレージ技術を用いて実装することができる。例えば、メモリ１４は、ランダムアクセスメモリ（ＲＡＭ）、リードオンリメモリ（ＲＯＭ）、磁気又は光ディスクなどの静的ストレージ、或いは他のいずれかのタイプの非一時的機械又はコンピュータ可読媒体のあらゆる組み合わせで構成することができる。メモリ１４に記憶される命令は、プロセッサ２２によって実行された時に、本明細書で説明するようなタスクを装置１０が実行できるようにするプログラム命令又はコンピュータプログラムコードを含むことができる。
【００４１】
装置１０は、装置１０との間で信号及び／又はデータを送受信する１又は２以上のアンテナ２５を含み又はこのようなアンテナ２５に結合することもできる。装置１０は、情報を送受信するように構成されたトランシーバ２８をさらに含み又はこのようなトランシーバ２８に結合することができる。例えば、トランシーバ２８は、（単複の）アンテナ２５によって送信できるように情報を搬送波に変調し、（単複の）アンテナ２５を介して受け取った情報を装置１０の他の要素がさらに処理できるように復調するよう構成することができる。他の実施形態では、トランシーバ２８が、信号又はデータを直接送受信することもできる。
【００４２】
プロセッサ２２は、例えば、アンテナ利得／位相パラメータのプレコーディング、通信メッセージを形成する個々のビットの符号化及び復号、情報のフォーマット、及び通信リソースの管理に関連する処理を含む装置１０の全体的制御を含むことができる、装置１０の動作に関連する機能を実行することができる。
【００４３】
ある実施形態では、メモリ１４が、プロセッサ２２によって実行された時に機能を提供するソフトウェアモジュールを記憶することができる。これらのモジュールは、例えば装置１０にオペレーティングシステム機能を提供するオペレーティングシステムを含むことができる。メモリは、装置１０に追加機能を提供するアプリケーション又はプログラムなどの１又は２以上の機能モジュールを記憶することもできる。装置１０の構成要素は、ハードウェアで実装することも、又はハードウェア及びソフトウェアのいずれかの好適な組み合わせとして実装することもできる。
【００４４】
１つの実施形態では、上述したように、装置１０をＵＥ又はモバイル装置とすることができる。この実施形態では、装置１０を、メモリ１４及びプロセッサ２２によって、少なくとも１つのＷｉ−Ｆｉ広告値を検出し、この少なくとも１つのＷｉ−Ｆｉ広告値からセルラーネットワーク状態のための少なくとも１つのセルラーネットワークインサイトを抽出するように制御することができる。ある実施形態によれば、装置１０を、メモリ１４及びプロセッサ２２によって、Ｈｏｔ  Ｓｐｏｔ２．０プレアソシエーション広告メッセージ内で少なくとも１つのＷｉ−Ｆｉ広告値を受け取るように制御することができる。１つの実施形態では、この少なくとも１つのＷｉ−Ｆｉ広告値が、少なくとも１つのＷｉ−Ｆｉ  ＳＳＩＤ名を含むことができる。
【００４５】
いくつかの実施形態によれば、少なくとも１つのＷｉ−Ｆｉ広告値からセルラーネットワークインサイトを抽出するためのルールを予め装置１０に提供しておくことができ、或いは、例えばインターネットサーバ、アクセスネットワーク発見及び選択機能（ＡＮＤＳＦ）サーバ、Ｈｏｔｓｐｏｔ２．０シグナリング、又は第３世代パートナーシッププロジェクト（３ＧＰＰ）シグナリングのうちの少なくとも１つからダウンロードすることができる。
【００４６】
いくつかの実施形態では、少なくとも１つのＷｉ−Ｆｉ広告値からセルラーネットワークインサイトを抽出するためのルールを、例えば、現在のセルＩＤ番号、時刻、場所、暗号化キー及び／又はシードを含む他のパラメータの機能とすることができる。
【００４７】
ある実施形態によれば、ＳＳＩＤ値が、装置１０で実行中のアプリケーションがＳＳＩＤ値に署名して検証できるように冗長性を含む。
【００４８】
ある実施形態によれば、装置１０を、メモリ１４及びプロセッサ２２によって、抽出された少なくとも１つのセルラーネットワークインサイトを用いて少なくとも１つのアプリケーションの適合を引き起こし、或いは装置１０上で実行中の又は装置１０に接続された少なくとも１つの他のアプリケーションに少なくとも１つのセルラーネットワークインサイトを提供するように制御することができる。１つの実施形態では、少なくとも１つのセルラーネットワークインサイト内に符号化されたセルラーネットワーク状態が、ネットワーク状態及び／又は複数のセルラー通信リンクを含むことができる。
【００４９】
いくつかの実施形態では、ネットワーク状態が、セルラーを介してさらなるユーザが接続を行った場合にセルラー上で直面する可能性のあるユーザ毎のスループットの指示を含むことができる。さらに別の実施形態では、セルラーネットワーク状態を伝えるためだけにＷｉ−Ｆｉ  ＳＳＩＤを使用することができ、ネットワークベアラトラフィックの伝達には使用しない。
【００５０】
図６ｂに、別の実施形態による装置２０の例を示す。ある実施形態では、装置２０を、コンフィギュレーションサーバなどの、通信ネットワーク内の、又はこのようなネットワークにサービス提供するノード、ホスト、又はサーバとすることができる。なお、当業者であれば、装置２０は、図６ｂに示していない構成要素又は特徴を含むこともできると理解するであろう。
【００５１】
図６ｂに示すように、装置２０は、情報を処理して命令又は動作を実行するプロセッサ３２を含む。プロセッサ３２は、あらゆるタイプの汎用プロセッサ又は特殊用途プロセッサとすることができる。図６ｂには１つのプロセッサ３２を示しているが、他の実施形態によれば複数のプロセッサを利用することもできる。実際に、プロセッサ３２は、一例として、汎用コンピュータ、特殊用途コンピュータ、マイクロプロセッサ、デジタルシグナルプロセッサ（ＤＳＰ）、フィールドプログラマブルゲートアレイ（ＦＰＧＡ）、特定用途向け集積回路（ＡＳＩＣ）、及びマルチコアプロセッサアーキテクチャに基づくプロセッサのうちの１つ又は２つ以上を含むことができる。
【００５２】
装置２０は、情報及びプロセッサ３２が実行できる命令を記憶する、プロセッサ３２に結合できるメモリ３４をさらに含むことができる。メモリ３４は、１又は２以上のメモリとすることができ、ローカルアプリケーション環境に適したあらゆるタイプとすることができ、半導体ベースのメモリデバイス、磁気メモリデバイス及びシステム、光メモリデバイス及びシステム、固定メモリ及び取り外し可能メモリなどのいずれかの好適な揮発性又は不揮発性データストレージ技術を用いて実装することができる。例えば、メモリ３４は、ランダムアクセスメモリ（ＲＡＭ）、リードオンリメモリ（ＲＯＭ）、磁気又は光ディスクなどの静的ストレージ、或いは他のいずれかのタイプの非一時的機械又はコンピュータ可読媒体のあらゆる組み合わせで構成することができる。メモリ３４に記憶される命令は、プロセッサ３２によって実行された時に、本明細書で説明するようなタスクを装置２０が実行できるようにするプログラム命令又はコンピュータプログラムコードを含むことができる。
【００５３】
装置２０は、装置２０との間で信号及び／又はデータを送受信する１又は２以上のアンテナ３５を含むこともできる。装置２０は、情報を送受信するように構成されたトランシーバ３８をさらに含むことができる。例えば、トランシーバ３８は、（単複の）アンテナ３５によって送信できるように情報を搬送波に変調し、（単複の）アンテナ３５を介して受け取った情報を装置２０の他の要素がさらに処理できるように復調するよう構成することができる。他の実施形態では、トランシーバ３８が、信号又はデータを直接送受信することもできる。
【００５４】
プロセッサ３２は、以下に限定されるわけではないが、アンテナ利得／位相パラメータのプレコーディング、通信メッセージを形成する個々のビットの符号化及び復号、情報のフォーマット、及び通信リソースの管理に関連する処理を含む装置２０の全体的制御を含む、装置２０の動作に関連する機能を実行することができる。
【００５５】
ある実施形態では、メモリ３４が、プロセッサ３２によって実行された時に機能を提供するソフトウェアモジュールを記憶する。これらのモジュールは、例えば装置２０にオペレーティングシステム機能を提供するオペレーティングシステムを含むことができる。メモリは、装置２０に追加機能を提供するアプリケーション又はプログラムなどの１又は２以上の機能モジュールを記憶することもできる。装置２０の構成要素は、ハードウェアで実装することも、又はハードウェア及びソフトウェアのいずれかの好適な組み合わせとして実装することもできる。
【００５６】
上述したように、１つの実施形態によれば、装置２０を、Ｗｉ−Ｆｉベースのセルラーインサイトコンフィギュレーションサーバなどの、通信ネットワーク内のサーバとすることができる。この実施形態では、装置２０を、メモリ３４及びプロセッサ３２によって、セルラーネットワークなどの第１の無線ネットワーク上の第１のレベルのネットワーク輻輳を検出するように制御することができる。装置２０は、メモリ３４及びプロセッサ３２によって、第１のレベルのネットワーク輻輳の検出に応答してＷｉ−Ｆｉネットワークなどの第２の無線ネットワークを介してＳＳＩＤ値を送信するように制御することができる。ＳＳＩＤ値は、第１のレベルのネットワーク輻輳を符号化することができる。次に、装置２０は、メモリ３４及びプロセッサ３２によって、第１の無線ネットワーク上の第２のレベルのネットワーク輻輳を検出するように制御することができる。装置２０は、メモリ３４及びプロセッサ３２によって、第２のレベルのネットワーク輻輳の検出に応答して第２の無線ネットワークを介して第２のＳＳＩＤ値を送信するように制御することができる。第２のＳＳＩＤ値は、第２のレベルのネットワーク輻輳を符号化することができる。
【００５７】
図７ａに、１つの実施形態による、装置上で実行中のアプリケーションに特定のセルラーネットワークインサイトを伝えるようにＷｉ−Ｆｉネットワークを構成及び／又は制御する方法のフロー図例を示す。ある実施形態では、この方法を、例えば無線装置によって（又は無線装置上で実行中のアプリケーションによって）実行することができる。方法は、７００において、１又は２以上のＷｉ−Ｆｉ広告値を検出するステップを含むことができる。次に、方法は、７１０において、（単複の）Ｗｉ−Ｆｉ広告値から、セルラーネットワーク輻輳などの、セルラーネットワークの状態のための１又は２以上のセルラーネットワークインサイトを抽出するステップを含むことができる。
【００５８】
図７ｂに、別の実施形態による、装置上で実行中のアプリケーションに特定のセルラーネットワークインサイトを伝えるようにＷｉ−Ｆｉネットワークを構成及び／又は制御する方法のフロー図例を示す。ある実施形態では、図７ｂの方法を、通信ネットワーク内のサーバ又はホストによって実行することができる。方法は、７５０において、第１の無線ネットワーク上の第１のレベルのネットワーク輻輳を検出するステップを含むことができる。方法は、第１のレベルのネットワーク輻輳の検出に応答して、７６０において、第２の無線ネットワークを介してサービスセット識別子（ＳＳＩＤ）値を送信するステップを含むこともできる。ＳＳＩＤ値は、第１のレベルのネットワーク輻輳を符号化することができる。次に、方法は、７７０において、第１の無線ネットワーク上の第２のレベルのネットワーク輻輳を検出するステップを含むことができる。方法は、第２のレベルのネットワーク輻輳の検出に応答して、７８０において、第２の無線ネットワークを介して第２のＳＳＩＤ値を送信するステップを含むこともできる。第２のＳＳＩＤ値は、第２のレベルのネットワーク輻輳を符号化することができる。
【００５９】
いくつかの実施形態では、上述した図７ａ及び図７ｂに示す方法などの、本明細書で説明した方法のいずれかの機能を、メモリ又はその他のコンピュータ可読媒体又は有形媒体に記憶されてプロセッサによって実行されるソフトウェア及び／又はコンピュータプログラムコードによって実装することができる。他の実施形態では、この機能を、例えば特定用途向け集積回路（ＡＳＩＣ）、プログラマブルゲートアレイ（ＰＧＡ）、フィールドプログラマブルゲートアレイ（ＦＰＧＡ）の使用を通じてハードウェアによって、或いはハードウェアとソフトウェアの他のいずれかの組み合わせによって実行することができる。
【００６０】
このように、実施形態は、最新の無線ネットワークインサイトを取得するためにアプリケーションが実際に無線ネットワークに接続する必要性を回避しながら、アプリケーションに直接インサイトを伝えることができる。また、この処理では、アプリケーションサーバの修正が不要である。
【００６１】
当業者であれば、上述した本発明は、異なる順序のステップを用いて実施することも、及び／又は開示したものとは異なる構成のハードウェア要素を用いて実施することもできると容易に理解するであろう。従って、これらの好ましい実施形態に基づいて本発明を説明したが、当業者には、本発明の趣旨及び範囲から逸脱することなく一定の修正、変形又は代替の構成が明白であることが明らかであろう。従って、本発明の境界及び範囲を決定するには、添付の特許請求の範囲を参照されたい。
【符号の説明】
【００６２】
１００  モバイル装置
１０５  Ｗｉ−Ｆｉアクセスポイント
１０７  基地局
１１０  Ｗｉ−Ｆｉ  ＡＰコントローラ
１１３  パフォーマンス情報マネージャ
１１５  パケットデータネットワークゲートウェイ
１２０  インサイトコンフィギュレーションサーバ（任意）
【図１】
2017532924.tif 000003
【図２】
2017532924.tif 000004
【図３】
2017532924.tif 000005
【図４】
2017532924.tif 000006
【図５】
2017532924.tif 000007
【図６ａ】
2017532924.tif 000008
【図６ｂ】
2017532924.tif 000009
【図７ａ】
2017532924.tif 000010
【図７ｂ】
2017532924.tif 000011
【国際調査報告】
2017532924.tif 000012
2017532924.tif 000013
2017532924.tif 000014